(57)【要約】【課題】  住宅の軒先の改修時に既設の竪樋と簡単に接続することができる竪樋継手を提供することを目的とする。【解決手段】  管径の異なる複数個の短管１、２、３からなり、順次小径の短管１（２）をより大径の短管２（３）にスライド自在に嵌挿して、複数個の短管１、２、３の端部相互を連結している。【選択図】      図２  
2005105746.tif 000002
【特許請求の範囲】
【請求項１】
管径の異なる複数個の短管からなり、順次小径の短管をより大径の短管にスライド自在に嵌挿して、複数個の短管の端部相互を連結してなることを特徴とする竪樋継手。
【発明の詳細な説明】
【技術分野】
【０００１】
本発明は、竪樋の端部を相互に嵌合接続する竪樋継手に関する。
【背景技術】
【０００２】
従来の竪樋継手としては、外筒体の内側に内筒体を設けて、上下両端部における両者間に挿入間隙を形成してなるものが知られている。この竪樋継手においては上下両端部の挿入間隙にそれぞれ竪樋の端部が挿入嵌合されて、この両竪樋の端部が相互に接続されるものである。（例えば、特許文献１を参照。）。
【０００３】
このような従来の竪樋継手を使用して竪樋を接続するには、図５に示すように、家屋の屋根部の軒樋ａに接続した竪樋ｂを建物の外壁面ｄに沿って垂下させ、上下の竪樋ｂを竪樋継手ｃで接続し、地中に埋設された排水管ｅに接続する。この場合、竪樋ｂは建物の外壁面ｄに竪樋支持具により取付けられているが、竪樋継手ｃの上下両端部に形成された挿入間隙に同一メーカーの同一規格の竪樋ｂの端部がそれぞれ挿入嵌合され、上下の竪樋ｂの端部が相互に接続されるものである。
【特許文献１】実開平４−４７０２８号公報（第７図）
【発明の開示】
【発明が解決しようとする課題】
【０００４】
ところで、住宅の軒先の改修時に既設の竪樋の一部を取り外して新品の竪樋と交換する等の補修を行うことがある。この場合、既設竪樋と同一規格のものを新品の竪樋として用意する必要があるが、既設竪樋と同一規格の竪樋や竪樋継手等の部材に在庫が無いことがある。そのため、既設竪樋と略同じ寸法の新規竪樋を用いて既設竪樋と接続することがある。
【０００５】
しかしながら、新規の竪樋や竪樋継手を用いて改修する場合、新規な竪樋が既設竪樋と外形寸法の規格に類似したものであっても、各メーカーごとに竪樋の外形寸法が異なっていることがあり、新規竪樋と竪樋継手を施工現場に持ち込んで、新規の竪樋継手の挿入間隙に既設の竪樋の端部を挿入嵌合しようとしても挿入ができず、既設の竪樋に新規の竪樋継手を接続することができなかった。
【０００６】
例えば、直径が６０ｍｍの円筒状の竪樋（通称：丸タテ樋６０）の場合、どのメーカーの竪樋も、外径において±１．５ｍｍ程度の寸法の差異があり、竪樋継手の接続部の嵌合寸法を大きめの方に合わせて余裕を持たせると、竪樋の外径が小さい場合は、竪樋継手に竪樋を嵌合させてもがたついて外れ易く接続することができなかった。
【０００７】
本発明は、このような事情に鑑みて、住宅の軒先の改修時に既設の竪樋と簡単に接続することができる竪樋継手を提供することを目的としている。
【課題を解決するための手段】
【０００８】
このような目的を達成するために、請求項１に記載の発明に係わる竪樋継手は、管径の異なる複数個の短管からなり、順次小径の短管をより大径の短管にスライド自在に嵌挿して、複数個の短管の端部相互を連結してなることを特徴とした。
【発明の効果】
【０００９】
本発明竪樋継手によれば、管径の異なる複数個の短管からなり、順次小径の短管をより大径の短管にスライド自在に嵌挿して、複数個の短管の端部相互を連結しているので、住宅の軒先の改修時に既設の竪樋の外径が種々異なっていても既設の竪樋と簡単に接続することができる。
【発明を実施するための最良の形態】
【００１０】
次に、本発明の実施の形態の一例を、図面に基づいて説明する。  
【００１１】
図１〜図４は、本発明竪樋継手の実施の形態における一実施例を説明する図であって、図１は本発明の実施例における竪樋継手を示す斜視図、図２は同上竪樋継手の部材となる外径の異なる複数の短管を引き延ばした状態を示す斜視図、図３は本発明竪樋継手の使用状態を示す斜視図、図４は同じく竪樋継手の使用状態を示し上下の竪樋の接続後の断面図である。
【００１２】
図１〜図２において、この竪樋継手Ａは、竪樋継手の部材となる管径の異なる複数個の短管１、２、３が小径の短管１からより大径の短管２、３へと順次スライド自在に嵌挿したものである。
最大径の短管３の内径を６４ｍｍとし、最小径の短管１の外径を６２ｍｍ、内径を６０ｍｍとし、その間に管壁の厚みが１．０ｍｍの外径６４ｍｍ、内径６２ｍｍの短管２を嵌挿して全体で３個からなる管径の異なる短管１、２、３を連結して組み合わせたものである。
【００１３】
このような竪樋継手は、端部が面一となるように相互に嵌挿されている３個の短管をスライドさせて引き延ばし、それぞれの短管１、２、３の端部相互を連結した状態で使用される。また、施工の際には、連結部にゴムパッキンを取付けて、水密性を確保するためにコーキング材を充填するのが好ましい。
【００１４】
本実施例において、両側方から接続される上方の竪樋（既設の竪樋）としては、円筒状のものであって外径が６１．６ｍｍで内径が５９．４ｍｍの竪樋１Ｃを用いており、また、下方の竪樋（新規の竪樋）としては、外径が５９．７ｍｍで内径が５７．５ｍｍの竪樋２Ｃを用いた。
【００１５】
本実施例において、両側方から接続される上方の竪樋（既設の竪樋）としては、円筒状のものであって外径が６１．６ｍｍで内径が５９．４ｍｍの竪樋１Ｃを用いており、また、下方の竪樋（新規の竪樋）としては、外径が５９．７ｍｍで内径が５７．５ｍｍの竪樋２Ｃを用いたが、既設の竪樋１Ｃは各メーカーにおいて外径や肉厚の寸法が異なり、必ずしも上記の寸法のとおりではなく、例えば，呼称６０ｍｍの竪樋では外径が±１．６ｍｍの範囲でばらついている。
【００１６】
本発明の竪樋継手Ａは、図３及び図４に示すようにして竪樋が接続される。
先ず、改修時に取り替えようとする既設の竪樋や竪樋継手を軒先から取り外して、残された既設の上方の竪樋１Ｃの端部に接着剤を塗布して、新規の竪樋継手Ａを配設して竪樋継手Ａの短管２の内面側に竪樋１Ｃの端部を挿入する。この場合、最大径の短管３は使用しないので、施工する前にに取り外しておいてもよい。
【００１７】
続いて、既設の竪樋１Ｃに取付けられた竪樋継手Ａの下方に新規の竪樋２Ｃを配設して、竪樋継手Ａの下方側から竪樋継手Ａの短管１に竪樋２Ｃの端部を挿入し接着剤を介して接続する。
【００１８】
このように、既設の竪樋１Ｃと新規な竪樋２Ｃとがそれぞれ外径や肉厚の寸法が異なっていても、図３に示すように、新規の竪樋継手Ａの挿入間隙４１に既設の竪樋１Ｃの端部を簡単に挿入することでき、既設の竪樋１Ｃと新規の竪樋２Ｃとを竪樋継手Ａで簡単にかつ外観が見栄えよく接続することができる。
【００１９】
以上、本発明の実施の形態を図面により詳述してきたが、具体的な形態はこの実施の形態に限られものではなく、本発明の要旨を逸脱しない範囲における設計の変更等があっても本発明に含まれる。
【図面の簡単な説明】
【００２０】
【図１】本発明の竪樋継手を示す斜視図である。
【図２】本発明の竪樋継手の短管を引き延ばした状態を示す斜視図である。
【図３】同上竪樋継手の使用状態を示す斜視図である。
【図４】同上使用状態の接続構造を示す断面図である。
【図５】従来例を説明するための概略説明図である。
【符号の説明】
【００２１】
Ａ              竪樋継手
１、２、３      短管
１Ｃ、２Ｃ      竪樋
【図１】
2005105746.tif 000003
【図２】
2005105746.tif 000004
【図３】
2005105746.tif 000005
【図４】
2005105746.tif 000006
【図５】
2005105746.tif 000007